(57)【要約】【課題】デイスプレイのコントラストを過度に濃くあるいは薄くして画面が見えなくなってしまうのを防止するブイスプレイのコントラスト調整装置を提供する。【解決手段】デイスプレイ１と、デイスプレイのコントラストを制御するコントラスト調整手段４ｂと、コントラスト調整手段に指令するコントラスト操作手段３とを備えたデイスプレイのコントラスト調整装置において、予め設定した所定コントラスト値を記憶した所定コントラスト記憶手段４ａと、デイスプレイのコントラストを所定コントラストに設定するために操作する所定コントラスト設定操作手段２とを配置し、前記コントラスト調整手段は所定コントラスト設定操作手段の操作で前記コントラスト操作手段の操作に基づく制御を解除し所定コントラスト記憶手段に記憶された所定コントラスト値に基づいてデイスプレイのコントラストを制御する。【選択図】図１
2008287198.tif 000002
【特許請求の範囲】
【請求項１】
デイスプレイと、デイスプレイのコントラストを制御するコントラスト調整手段と、コントラスト調整手段に指令するコントラスト操作手段とを備え、コントラスト操作手段の操作によりコントラスト調整手段を制御してデイスプレイのコントラストを調整するようにしたデイスプレイのコントラスト調整装置において、
予め設定した所定コントラスト値を記憶した所定コントラスト記憶手段と、デイスプレイのコントラストを所定コントラストに設定するために操作する所定コントラスト設定操作手段とを配置し、前記コントラスト調整手段は所定コントラスト設定操作手段の操作で前記コントラスト操作手段の操作に基づく制御を解除し所定コントラスト記憶手段に記憶された所定コントラスト値に基づいてデイスプレイのコントラストを制御するようにしたことを特徴とするデイスプレイのコントラスト調整装置。
【発明の詳細な説明】
【技術分野】
【０００１】  本発明は、デイスプレイのコントラスト調整装置に関するものである。
【背景技術】
【０００２】  この種のデイスプレイのコントラスト調整装置は、デイスプレイと、デイスプレイのコントラストを制御するコントラスト調整手段と、コントラスト調整手段に指令するコントラスト操作手段とを備え、コントラスト操作手段の操作によりコントラスト調整手段を制御してデイスプレイのコントラストを調整するようにしている。【０００３】  すなわち、デイスプレイのコントラストの状況により操作者がコントラスト操作手段を操作し、コントラスト調整手段によりデイスプレイのコントラストを制御するようにしている。（例えば特許文献１参照）
【特許文献１】実用新案登録第２５８１１４３号公報（第３頁〜第４頁、図１、図５、図７）
【発明の開示】
【発明が解決しようとする課題】
【０００４】ところがコントラスト操作手段によりコントラスト調整の操作を誤ってコントラストを過度に薄くたり、逆に過度に濃くしてしまい、デイスプレイの画面の内容が見えなくなる状態に設定してしまうことがある。そこでコントラストを元に戻すための操作をしようとするのであるが、画面が薄過ぎあるいは濃過ぎて画面にコントラストを調整する画面表示にすることすらできず、コントラストを元に戻す操作ができないことがあった。本発明は、このようなことをなくするデイスプレイのコントラスト調整装置を提供することを目的とする。
【課題を解決するための手段】
【０００５】  上記の目的を達成するため、本発明に係る請求項１記載のデイスプレイのコントラスト調整装置は、デイスプレイと、デイスプレイのコントラストを制御するコントラスト調整手段と、コントラスト調整手段に指令するコントラスト操作手段とを備え、コントラスト操作手段の操作によりコントラスト調整手段を制御してデイスプレイのコントラストを調整するようにしたデイスプレイのコントラスト調整装置において、
予め設定した所定コントラスト値を記憶した所定コントラスト記憶手段と、デイスプレイのコントラストを所定コントラストに設定するために操作する所定コントラスト設定操作手段とを配置し、前記コントラスト調整手段は所定コントラスト設定操作手段の操作で前記コントラスト操作手段の操作に基づく制御を解除し所定コントラスト記憶手段に記憶された所定コントラスト値に基づいてデイスプレイのコントラストを制御するようにしたことを特徴とするものである。
【発明の効果】
【０００６】  請求項１に係る本発明のデイスプレイのコントラスト調整装置は、通常はコントラスト操作手段の操作によりコントラスト調整手段を制御してデイスプレイのコントラストを調整するのであるが、所定コントラスト設定操作手段が操作されると、前記コントラスト操作手段の操作に基づく制御を解除し所定コントラスト記憶手段に記憶された所定コントラスト値に基づいてデイスプレイのコントラストを制御するようにしたものである。よって、コントラスト操作手段の操作に基づくコントラスト調整に係わらず所定コントラスト設定操作手段の操作でデイスブレイのコントラストを所定コントラスト記憶手段に記憶された所定コントラストにすることができ、コントラスト調整の操作を誤ってコントラストを過度に薄くあるいは逆に過度に濃くしてデイスプレイの画面の内容が見えなくなる状態に設定してしまっても、簡単に予め設定したコントラストにすることができる。
【発明を実施するための最良の形態】
【０００７】  本発明の実施形態について、図１〜図３に図示し以下に説明する。図１は、本発明に係るデイスプレイのコントラスト調整装置を説明するブロック図であり、図２は、本発明に係るデイスプレイのコントラスト調整装置を説明するフローチャート図である。図３は、本発明に係るデイスプレイおよび操作手段を説明する説明図である。【０００８】  図３において、１は、デイスプレイであって、液晶、ＣＲＴ、等からなり、常時は制御機器の制御状態を画面に表示し、画面切換えで図示するコントラスト調整画面等を表示する。２は、画面切換キーであって、押し操作する度に、常時表示している制御機器の制御状態を表示する画面、図３に図示するコントラスト調整画面、他の調整画面等とに画面切換え操作するキーである。３は、コントラスト操作手段であって、＋キー３ａ、−キー３ｂ、セットキー３ｃ、キャンセルキー３ｄとで構成している。【０００９】  ＋キー３ａは、コントラスト調整画面に切換えた状態で、押し操作することでデイスプレイのコントラストを濃くする操作するキーで、１回押し操作する度に１段階毎に所定量のコントラストを濃くなるように操作するキーである。−キー３ｂは、コントラスト調整画面に切換えた状態で、押し操作することでデイスプレイのコントラストを薄くする操作するキーで、１回押し操作する度に１段階毎に所定量のコントラストを薄くなるように操作するキーである。セットキー３ｃは、＋キー３ａまたはーキー３ｂで操作し調整したコントラスト値を設定するキーで、押し操作することでその時に調整されたコントラスト値を記憶し設定させるために操作するキーである。キャンセルキー３ｄは、＋キー３ａまたは−キー３ｂで操作し調整したコントラスト値を設定しないで、元のコントラスト設定値に戻すときに操作するキーである。【００１０】  また、画面切換キー２は、長押し操作（約３秒）することで、デイスプレイのコントラストを予め設定しておいた所定コントラスト値になるように設定する操作ができるようになっている。すなわち、画面切換キー２は、所定コントラスト設定操作手段としての機能を備えている。【００１１】  上記画面切換キー２およびコントラスト操作手段３による操作は、図１に図示するようにデイスプレイ１にコントローラ４を介してコントラストが調整されるようになっている。すなわち、コントローラ４は、コントラスト調整手段４ｂと所定コントラスト記憶手段４ａとを備えている。コントラスト調整手段４ｂは、コントラスト操作手段３による操作に基づいてデイスプレイ１のコントラストを制御する機能を備えるとともに、画面切換キー２を長押し操作（約３秒）して所定コントラスト設定操作手段として操作された時に、これまでコントラスト操作手段３による操作に基づいて設定したコントラスト設定値を解除し、予め設定しておいた所定コントラスト値に変更したコントラスト設定値でデイスプレイの画面表示するように制御する。【００１２】  所定コントラスト記憶手段４ａは、予め設定しておいた所定コントラスト値を記憶しており、通常は出荷時に標準のコントラスト値を記憶させているが、好みにより任意のコントラスト値を記憶させておいてもよい。【００１３】  コントローラ４���おけるコントラスト調整手段４ｂの具体的な制御を図２に図示するフローチャートで説明する。図２において、ステップＳ１は、画面切換キー２の長押し操作（約３秒）すなわち所定コントラスト設定操作手段からの信号を検出して入力する。ステップＳ２は、所定コントラスト設定操作手段からの操作信号を検出して所定コントラスト設定操作手段を操作したか否かを判別し、ＹＥＳの場合にはステップＳ３に進み、ＮＯの場合にはステップＳ４に進む。【００１４】  ステップＳ３では、所定コントラスト記憶手段４ａに記憶した所定コントラスト値を読み込みこれまでコントラスト操作手段３による操作に基づいて設定したコントラスト設定値を解除し、予め設定しておいた所定コントラスト値に変更し、変更したコントラスト値を設定値として記憶し、ステップＳ１３に進む。【００１５】  ステップＳ４では、コントラスト操作手段３による操作信号を検出して入力する。すなわち、＋キー３ａ、−キー３ｂ、セットキー３ｃ、キャンセルキー３ｄの各スイッチの操作を検出し入力するのである。ステップＳ５で、＋キー３ａを操作したか否かを判別し、ＹＥＳの場合にはステップＳ６に進み、ＮＯの場合にはステップＳ７に進む。【００１６】  ステップＳ６では、コントラスト値を所定量だけ＋した後、ステップＳ４に戻る。ステップＳ７では、−キー３ｂを操作したか否かを判別し、ＹＥＳの場合にはステップＳ８に進み、ＮＯの場合にはステップＳ９に進む。【００１７】  ステップＳ８では、コントラスト値を所定量だけ−した後、ステップＳ４に戻る。ステップＳ９では、セットキー３ｃを操作したか否かを判別し、ＹＥＳの場合にはステップＳ１０に進み、ＮＯの場合にはステップＳ１１に進む。【００１８】  ステップＳ１０では、現在のコントラスト値を設定値として記憶し、ステップＳ１３に進む。ステップＳ１１では、キャンセルキー３ｄを操作したか否かを判別し、ＹＥＳの場合にはステップＳ１２に進み、ＮＯの場合にはステップＳ１３に進む。【００１９】  ステップＳ１２では、コントラスト設定値を元に戻し（調整する前に設定していたコントラスト設定値に戻し）コントラスト設定値として記憶した後ステップＳ１３に進む。ステップＳ１３では、記憶されたコントラスト設定値でデイスプレイのコントラストを制御し、ステップＳ１に進む。【００２０】  このように構成された本発明に係るデイスプレイのコントラスト調整装置は、次のように作用する。画面切換キー２を押し操作し、常時表示している制御機器の制御状態を表示する画面から図３に図示するコントラスト調整画面に画面切換えする。そして、例えば＋キー３ａを幾度となく押し操作し続け、デイスプレイ１の画面のコントラストを過度に濃くする調整操作をしたとする。するとステップＳ４からステップＳ５を経過してステップＳ６までのルーチンを幾度となく繰り返して、コントラスト値を高くしてしまうことになる。この時に＋キー３ａの操作を止めてキャンセルキー３ｄを押し操作すれば、ステップ１１からステップ１２に進み、＋キー３ａを操作する前に設定していたコントラスト値に戻すことができる。【００２１】  ところが誤ってセットキー３ｃを押し操作してしまうと、ステップ９からステップ１０に進み、高くしたコントラスト値をコントラスト設定値として記憶してしまう。するとステップ１３で記憶されたコントラスト設定値でデイスプレイ１のコントラストを制御されるので、画面には濃く表示されて表示内容が見えなくなってしまう。操作者は元のコントラストに戻そうとするが、画面が見えないので現在の操作状態がどの様な状態であるか判らないので、操作できなくなってしまう。【００２２】  このような状態になってしまった場合、画面切換キー２を長押し操作（約３秒）することで、デイスブレイのコントラストを所定コントラスト記憶手段に予め記憶された所定コントラストにすることができる。【００２３】  すなわち、ステップＳ２で所定コントラスト設定操作手段を操作したとして判別しステップＳ３に進む。ステップＳ３では、所定コントラスト記憶手段４ａに記憶した所定コントラスト値を読み込みこれまでコントラスト操作手段３による操作に基づいて設定したコントラスト設定値を解除し、予め設定しておいた所定コントラスト値に変更し、変更したコントラスト値を設定値として記憶し、ステップＳ１３に進む。ステップＳ１３では、記憶されたコントラスト設定値でデイスプレイのコントラストを制御され、ステップＳ１に進む。【００２４】  よって、デイスプレイ１にはこれまで記憶されていたコントラスト設定値を解除し、予め設定しておいた所定コントラスト値に変更し、変更したコントラスト値を設定値として記憶されてコントラストを制御するものであるから、濃く表示されて表示内容が見えなくなっていた画面から予め設定しておいた所定コントラストで表示される。したがって作業者は、画面に表示される内容が見えるようになるので、制御機器の制御内容を確認し作業することができ、画面を切換え再度適切なコントラスト調整画面にすることもできる。【００２５】  なお、上記実施形態では、コントローラ４による制御をコントラスト調整に関するルーチンのみを図２のフローチャートに図示し説明したが、コントローラ４による制御は図２のフローチャートのルーチンのみに限らず他の制御も同時に制御されていること勿論である。【００２６】  また、上記実施形態では、＋キー３ａを幾度となく押し操作し続け、デイスプレイ１の画面のコントラストを過度に濃くする調整操作をした場合について説明したが、−キー３ｂを幾度となく押し操作し続け、デイスプレイ１の画面のコントラストを過度に薄くする調整操作をした場合についても同様に対応できること勿論であり、この場合については同様に容易に理解できるので詳細な説明を省略する。【００２７】  更に、上記実施形態では、画面切換キー２を、長押し操作（約３秒）することで、デイスプレイ１のコントラストを予め設定しておいた所定コントラストになるように設定する所定コントラスト設定操作手段としての機能を持たせたが、所定コントラスト設定操作手段としての操作手段として別個に配置し、専用の所定コントラスト設定操作手段としてもよい。【００２８】  次に、上記実施形態では、所定コントラスト設定操作手段を操作した時に、デイスプレイのコントラストをコントラスト操作手段の操作に基づく制御を解除し所定コントラスト記憶手段に予め記憶しておいた所定コントラス���値に設定して制御されるようにしたものであるが、色調（カラー）の３原色を調整する色調調整についても同様に行うようにしてもよい。【００２９】  具体的には、コントローラ４に色調（カラー）調整手段を配置するとともに色調調整手段に指令する色調調整操作手段を配置し、色調調整操作手段の操作により色調調整手段を制御してデイスプレイの色調を調整するようにしているが、予め設定した所定の色調値を所定色調記憶手段に記憶させておき、デイスプレイの色調を所定の色調にするために操作する所定色調設定操作手段を配置し、この所定色調設定操作手段を操作した時に、コントローラ４の色調調整手段が、色調調整操作手段の操作に基づく制御を解除し所定色調記憶手段に予め記憶しておいた所定色調値に設定して制御するようにしておけばよい。
【図面の簡単な説明】
【００３０】
【図１】本発明に係るデイスプレイのコントラスト調整装置を説明するブロック図である。
【図２】本発明に係るデイスプレイのコントラスト調整装置を説明するフローチャート図である。
【図３】本発明に係るデイスプレイおよび操作手段を説明する説明図である。
【符号の説明】
【００３１】１  デイスプレイ
２  所定コントラスト設定操作手段
３  コントラスト操作手段
４ａ  所定コントラスト記憶手段
４ｂ  コントラスト調整手段
【図１】
2008287198.tif 000003
【図２】
2008287198.tif 000004
【図３】
2008287198.tif 000005